Podtech/llm-jp-corpus-v4-ja_patent huggingface dataset:
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
式Ｉ：
【化１】
2007514756.tif 000001
［式中、
Ｒ１およびＲ２は独立して、アリールおよびヘテロアリールからなる群から選ばれ；
Ｒ３は、アルキル、アルケニル、アルキニル、シクロアルキル、シクロアルキルアルキル、ヘテロサイクリルアルキル、アリール、ヘテロアリール、アリールアルキルおよびヘテロアリールアルキルからなる群から選ばれ；そして、
Ｒ４は、水素、アルキル、シクロアルキル、ヘテロサイクリル、アリール、ヘテロアリール、アリールアルキル、およびヘテロアリールアルキルからなる群から選ばれる］
で示される化合物、または全てのプロドラッグ、医薬的に許容し得る塩、もしくは立体異性体。
【請求項２】
Ｒ４は、水素、アルキル、アリール、およびヘテロアリールからなる群から選ばれる、請求項１記載の化合物。
【請求項３】
Ｒ３は、アルキル、シクロアルキル、アリール、ヘテロアリール、アリールアルキル、およびヘテロアリールアルキルからなる群から選ばれる、請求項２記載の化合物。
【請求項４】
Ｒ４は、水素およびアルキルからなる群から選ばれる、請求項３記載の化合物。
【請求項５】
Ｒ３は、アルキル、シクロアルキル、アリール、ヘテロアリール、アリールアルキル、およびヘテロアリールアルキルからなる群から選ばれ；そして、
Ｒ４は、水素からなる群から選ばれる、請求項１記載の化合物。
【請求項６】
Ｒ１は、場合によりアルキル、フルオロ、クロロ、トリフルオロメチル、シアノ、メトキシ、トリフルオロメトキシ、アリール、ヘテロサイクリル、またはヘテロアリールの１つ以上で置換されたアリール基である、請求項４記載の化合物。
【請求項７】
Ｒ１は、場合によりフルオロ、クロロ、トリフルオロメチル、シアノ、メトキシ、トリフルオロメトキシ、アリール、ヘテロサイクリル、またはヘテロアリールの１つ以上で置換されたヘテロアリール基である、請求項４記載の化合物。
【請求項８】
Ｒ２は、場合によりアルキル、フルオロ、クロロ、トリフルオロメチル、シアノ、メトキシ、トリフルオロメトキシ、アリール、ヘテロサイクリル、またはヘテロアリールの１つ以上で置換されたアリール基である、請求項４記載の化合物。
【請求項９】
Ｒ１は、ピリジン、ピリダジン、ピリミジン、ピラジン、イミダゾール、イソキサゾール、およびオキサゾールからなる群から選ばれ、ここで、該基は場合により、フルオロ、クロロ、トリフルオロメチル、シアノ、メトキシ、トリフルオロメトキシ、アリール、ヘテロサイクリル、またはヘテロアリールの１つ以上で置換された、請求項４記載の化合物。
【請求項１０】
Ｒ３は、場合によりフルオロ、クロロ、ブロモ、シアノ、アリール、ヘテロサイクリル、またはヘテロアリールの１つ以上で置換された、アリール、ヘテロアリール、アリールアルキル、およびヘテロアリールアルキルからなる群から選ばれる、請求項５記載の化合物。
【請求項１１】
式：
【化２】
2007514756.tif 000002
【化３】
2007514756.tif 000003
から選ばれる、請求項１記載の化合物。
【請求項１２】
式：
【化４】
2007514756.tif 000004
から選ばれる、請求項１記載の化合物。
【請求項１３】
少なくとも１つの請求項１記載の化合物および少なくとも１つの医薬的に許容し得る希釈剤または担体を含有する、カンナビノイド受容体媒介性の疾患または障害を処置するための医薬組成物。
【請求項１４】
更に少なくとも１つの他の治療剤を含有する、請求項１３記載の医薬組成物。
【請求項１５】
疾患または障害はＣＢ−１受容体の活性と関係する、請求項１３記載の医薬組成物。
【請求項１６】
疾患または障害は、過食症、肥満症、または過体重である患者において生じるいずれかの疾患である、請求項１５記載の医薬組成物。
【請求項１７】
疾患または障害は、代謝性疾患、摂食障害、または欲望障害であって、
肥満症、糖尿病、アテローム硬化症、高血圧症、多嚢胞性卵巣疾患、循環器疾患、骨関節炎、皮膚科学的な疾患、高血圧症、インスリン抵抗性、高コレステロール血症、高トリグリセリド血症、胆石症、睡眠障害、高脂血症、過食症、神経性および心因性の摂食障害などの疾患に関係する病気の処置を含む、請求項１５記載の医薬組成物。
【請求項１８】
請求項１３記載の医薬組成物および以下の治療剤を含有する、カンナビノイド受容体媒介性の疾患または障害を処置するための医薬的な組み合わせであって、
該治療剤は、抗肥満症剤；食欲抑制剤；抗糖尿病剤；抗高脂質血症剤；抗高脂血症剤；低コレステロール血症剤；脂質調節剤；コレステロール低下剤；脂質低下剤；ＨＤＬ上昇剤；降圧剤；睡眠障害を処置するための剤；物質乱用および常習性疾患を処置するための剤；抗不安症剤；抗うつ剤；抗精神病剤；認知増大剤; 認知疾患を処置するのに使用する剤；アルツハイマー疾患を処置するのに使用する剤；パーキンソン病を処置するのに使用する剤；抗炎症剤；神経変性を処置するのに使用する剤；アテローム硬化症を処置するのに使用する剤；呼吸器疾患を処置するのに使用する剤；腸疾患を処置するのに使用する剤；強心配糖体；または、抗腫瘍剤から選ばれる、該医薬的な組み合わせ。
【請求項１９】
他の治療剤は、請求項１３記載の医薬組成物の投与の前、同時、またはその後に投与し得る、請求項１８記載の医薬的な組み合わせ。
【請求項２０】
疾患または障害はＣＢ−１受容体の活性と関係する、請求項１８記載の医薬的な組み合わせ。
【請求項２１】
疾患または障害は、過食症、肥満症、または過体重である患者において生じるいずれかの疾患である、請求項２０記載の医薬的な組み合わせ。
【請求項２２】
疾患または障害は、代謝性疾患、摂食障害、または欲望障害であって、
肥満症、糖尿病、アテローム硬化症、高血圧症、多嚢胞性卵巣疾患、循環器疾患、骨関節炎、皮膚科学的な疾患、高血圧症、インスリン抵抗性、高コレステロール血症、高トリグリセリド血症、胆石症、睡眠障害、高脂血症、過食症、神経性および心因性の摂食障害などの疾患に関係する病気の処置を含む、請求項２０記載の医薬的な組み合わせ。
【手続補正書】
【提出日】平成19年6月8日(2007.6.8)
【手続補正１】
【補正対象書類名】特許請求の範囲
【補正対象項目名】全文
【補正方法】変更
【補正の内容】
【特許請求の範囲】
【請求項１】
次式
ＨＳ−Ｂ−ＣＯＯＲ        （Ｉ）
［式中、
Ｂは、直鎖もしくは分岐形態の非環式または環式のいずれかであることができ、１から１８個、好ましくは１から４個の炭素原子を含む、２価の飽和炭化水素基を表し、
Ｒは、水素原子、またはアルカリもしくはアルカリ土類金属、またはアンモニウム基、またはアルキル（直鎖または分岐）、シクロアルキル、アリール、アルキルアリールまたはアリールアルキル基を表し、前記基は、１から１８個、好ましくは１から１０個の炭素原子、および場合により１個または複数個のヘテロ原子を含む。］
の化合物の有効量を、精製プラントで処理する炭化水素のストリームに、添加することを含むことを特徴とする、ナフテン酸による精製プラントの金属壁の腐食と戦う方法。
【請求項２】
式（Ｉ）の化合物として、チオグリコール酸またはそのエステルの１種、好ましくは脂肪族エステルを使用することを特徴とする請求項１に記載の方法。
【請求項３】
チオグリコール酸２−エチルヘキシル、チオグリコール酸イソオクチルまたはチオグリコール酸メチルを使用することを特徴とする請求項１または２に記載の方法。
【請求項４】
式（Ｉ）の化合物の量が、炭化水素ストリームの重量に対して、１０から５０００ｐｐｍ、好ましくは５０から５００ｐｐｍの範囲にある、イオウの相当する重量で表した濃度に一致することを特徴とする請求項１から３のいずれか一項に記載の方法。
【請求項５】
処理する炭化水素ストリームが、０．２を超える、好ましくは２を超えるＴＡＮを有することを特徴とする請求項１から４のいずれか一項に記載の方法。
【請求項６】
２００から４５０℃より特に２５０から３５０℃の温度で実施することを特徴とする請求項１から５のいずれか一項に記載の方法。
【請求項７】
処理する炭化水素ストリームが、石油原油、常圧蒸留残油、常圧および減圧蒸留から生じる軽油留分、ならびに減圧蒸留から生じる減圧蒸留液および残油から選択されることを特徴とする請求項１から６のいずれか一項に記載の方法。
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
コハク酸エステルを、少なくとも１つの非置換又は置換の芳香族又は複素環式芳香族ニトリルと反応させることによる、式（１）：
【化１】
2007514798.tif 000001
［式中、
Ａ1及びＡ2は、それぞれ他と独立に、芳香族又は複素環式芳香族ラジカルである］で示される、少なくとも２種の構造的に異なるジケトピロロピロール顔料を含むことを特徴とする混合物の製造方法であって、この反応を、式（２）：
【化２】
2007514798.tif 000002
［式中、
Ａは、芳香族又は複素環式芳香族ラジカルであり、
Ｒ3は、水素、ハロゲン、メチル、メトキシ、−ＣＦ3又は−ＣＮであり、
Ｒ4は、直鎖、又はＣ3以上は場合により分岐のＣ1−Ｃ30アルキル、Ｃ6−Ｃ10アリール又はＣ6−Ｃ24アラルキルラジカルであり、
Ｘは、−Ｓ−、−Ｏ−、−ＣＲ5Ｒ5’−、−ＣＯＯ−、−ＣＯＮＲ5−、−ＳＯ−、−ＳＯ2−、−ＳＯ2ＮＲ5−又は−ＮＲ5−であり、そして
Ｒ5及びＲ5’は、それぞれ他と独立に、水素、又は直鎖、若しくはＣ3以上は場合により分岐のＣ1−Ｃ30アルキル、Ｃ6−Ｃ10アリール若しくはＣ6−Ｃ24アラルキルラジカルである］で示される少なくとも１つの化合物の存在下で行うことを特徴とする方法。
【請求項２】
下記式：
【化３】
2007514798.tif 000003
で示されるジケトピロロピロール顔料、又は
下記式：
【化４】
2007514798.tif 000004
で示されるジケトピロロピロール顔料、又は
下記式：
【化５】
2007514798.tif 000005
で示されるジケトピロロピロール顔料、又は
下記式：
【化６】
2007514798.tif 000006
で示されるジケトピロロピロール顔料、又は
下記式：
【化７】
2007514798.tif 000007
で示されるジケトピロロピロール顔料を含むことを特徴とする混合物。
【請求項３】
請求項２記載の混合物の製造方法であって、式（５１）：
【化８】
2007514798.tif 000008
［式中、Ｒ8は、塩素、メチル、ｔｅｒｔ−ブチル、フェニル又は−Ｓ−フェニルである］で示される化合物及び式（５２）：
【化９】
2007514798.tif 000009
で示される化合物を、コハク酸ジエステルと反応させるか、又は
式（５１）の２種の構造的に異なる化合物及び式（５２）の化合物よりなる混合物を、コハク酸ジエステルと反応させることを特徴とする方法。
【請求項４】
着色プラスチック又はポリマー着色剤粒子の製造方法であって、これらの材料に、請求項１記載の本発明により製造されるジケトピロロピロール顔料混合物又は請求項２記載の本発明のジケトピロロピロール顔料混合物を混ぜ込むことを特徴とする方法。
【請求項５】
着色プラスチック又はポリマー着色剤粒子の製造における、請求項１記載の本発明により製造されるジケトピロロピロール顔料混合物、又は請求項２記載の本発明のジケトピロロピロール顔料混合物の使用。
【請求項６】
請求項５により着色されたプラスチック又はポリマー着色剤粒子。
【請求項７】
印刷プロセスにおける印刷インク用の、フレキソ印刷、スクリーン印刷、パッケージングの印刷、機密保護カラー印刷、凹版印刷若しくはオフセット印刷用の、印刷の予備段階用、及びテキスタイルの捺染用、オフィス若しくは家庭使用のための、又はグラフィック応用のための、ボールペン、フェルトペン、サインペン、ボール紙、木、（ウッド）ステイン、金属、スタンプパッド用のインクの、あるいはインパクトプリンティングプロセス（インパクトプリンティングインクリボンを用いる）用のインクの製造における、
工業用又は商業用使用のための、テキスタイル装飾及び工業的ラベル付け用、コイル被覆若しくは粉体塗装のための、又は自動車塗装のための、ハイソリッド（低溶剤）、水性若しくは金属塗料のための、又は水性塗料用の着色配合のための、鉱油、潤滑グリース若しくはワックスのための、表面被覆剤の製造における、
ディジタル印刷用、熱転写ワックス印刷、インクジェット印刷若しくは熱転写印刷用の、ノンインパクトプリンティング材料の製造における、
トナー、乾式コピートナー、液体コピートナー又は電子写真トナーの製造における、
請求項１記載の本発明により製造されるジケトピロロピロール顔料混合物、又は請求項２記載の本発明のジケトピロロピロール顔料混合物の使用。
【請求項８】
カラーフィルターの製造における、請求項１記載の本発明により製造されるジケトピロロピロール顔料混合物、又は請求項２記載の本発明のジケトピロロピロール顔料混合物の使用。
【請求項９】
少なくとも１つの、請求項１記載の本発明により製造されるジケトピロロピロール顔料混合物、又は請求項２記載の本発明のジケトピロロピロール顔料混合物を含むことを特徴とする、高分子量ポリマー材料を用いて製造される、カラーフィルター。
【請求項１０】
総重量に基づいて、
ａ）  ０．０００１〜２０重量％の少なくとも１つの、請求項１記載の本発明により製造されるジケトピロロピロール顔料混合物、又は請求項２記載の本発明のジケトピロロピロール顔料混合物、及び
ｂ）  ８０〜９９．９９９９重量％の化粧品として適切なキャリヤ物質
を含むことを特徴とする、化粧品調合物又は組成物。
【請求項１１】
スティック、軟膏、クリーム、エマルジョン、懸濁液、分散液、粉末又は液の形である、請求項１０記載の化粧品調合物又は組成物。
【手続補正書】
【提出日】平成19年11月9日(2007.11.9)
【手続補正１】
【補正対象書類名】特許請求の範囲
【補正対象項目名】全文
【補正方法】変更
【補正の内容】
【特許請求の範囲】
【請求項１】
シリコンオンインシュレータトランジスタであって、
絶縁層と、
前記絶縁層上に設けられるアクティブ領域と、
そのアクティブ領域は、内部ボディ領域と、前記絶縁層上に設けられ、内部ボディ領域に横方向に隣接し、前記内部ボディ領域との電気的コンタクトを形成するボディ結合アクセス領域と、前記ボディ結合アクセス領域から横方向にオフセットされ、前記ボディ結合アクセス領域に電気的に接続されるボディ結合拡散部とを有し、
前記シリコンオンインシュレータトランジスタの前記内部ボディ領域を電気的に制御するため、前記内部ボディ領域を覆い、前記ボディ結合アクセス領域の一部を覆うように延在しているゲート電極と、
前記内部ボディ領域の対向する両側面に隣接する第１及び第２の電流電極と
を備えるシリコンオンインシュレータトランジスタ。
【請求項２】
シリコンオンインシュレータトランジスタの製造方法であって、
絶縁層を提供するステップ、
前記絶縁層上にアクティブ領域を形成するステップであって、前記アクティブ領域の一部が内部ボディ領域を提供するステップ、
前記アクティブ領域内において、前記絶縁層上に設けられ、前記内部ボディ領域に横方向に隣接するボディ結合アクセス領域を形成するステップであって、前記ボディ結合アクセス領域が前記内部ボディ領域との電気的コンタクトを形成するステップ、
前記シリコンオンインシュレータトランジスタの内部ボディ領域を電気的に制御するため前記内部ボディ領域上に設けられ、寄生容量及びゲート電極漏出を低減するため前記ボディ結合アクセス領域の一部を覆うように延在するゲート電極を形成するステップ、
前記ボディ結合アクセス領域からのドーパントのハロー／拡大注入をほぼ遮断しながら、前記内部ボディ領域内へのドーパントのハロー／拡大注入を形成するステップ、
ほぼ一定長さを有するゲート電極に隣接し、かつボディ結合アクセス領域を覆う側壁スペーサー誘電体材料を形成するステップ、
前記内部ボディ領域の対向する両側に隣接して第１及び第２の電流電極を形成するステップ、及び
前記アクティブ領域内において、前記ボディ結合アクセス領域から横方向にずれして位置し、前記ボディ結合アクセス領域に電気的に接続されるボディ結合拡散部を形成するステップ
を備える方法。
【請求項３】
請求項２記載の方法は、更に、
前記ボディ結合アクセス領域上に設けられた前記ゲート電極の部分を含む前記ボディ結合アクセス領域のほぼ全てを覆う前記側壁スペーサー誘電体材料からなる誘電体層を形成するステップを備える方法。
【請求項４】
シリコンオンインシュレータトランジスタの製造方法であって、
絶縁基板を形成するステップ、
前記シリコンオンインシュレータトランジスタの位置を決めるアクティブ領域を画定するステップ、
所望のドーピング濃度の内部ボディ領域を形成するため、前記アクティブ領域に所定の拡散材料を注入するステップ、
前記アクティブ領域を覆うマスクに開口を形成してボディ結合アクセス領域を画定するステップ、
前記ボディ結合アクセス領域を形成するため前記アクティブ領域を注入するステップであって、ボディ結合アクセス抵抗を低減させるため、前記ボディ結合アクセス領域が所定のドーピング濃度を有しているステップ、
前記内部ボディ領域及び前記ボディ結合アクセス領域の両方を覆うゲート酸化物を形成するステップ、
前記内部ボディ領域及び前記ボディ結合アクセス領域の一部を覆うほぼ一定長さのゲート電極材料を成膜及びパターニングするステップ、
前記ボディ結合アクセス領域からのドーパントのハロー／拡大注入をほぼ遮断しながら、前記内部ボディ領域内へのドーパントのハロー／拡大注入を形成するステップ、
ほぼ一定長さのゲート電極材料及びボディ結合アクセス領域を覆う側壁スペーサー誘電体材料を形成するステップ、
マスクを用いて前記ボディ結合アクセス領域をほぼ覆う領域をマスキングするステップ、
前記ボディ結合アクセス領域を覆うと共に、ほぼ一定長さのゲート電極材料に隣接する部分を除くあらゆる場所で、前記側壁スペーサー誘電体材料を除去するステップ、
ソース拡散領域及びドレイン拡散領域を形成するステップ、及び
ボディ結合拡散領域を形成するステップ
を備える方法。
【請求項５】
請求項４記載の方法は、更に、
前記ボディ結合アクセス領域の１／２未満を覆うように、ほぼ一定長さのゲート電極材料を延在させるステップを備える方法。
【手続補正書】
【提出日】平成19年6月11日(2007.6.11)
【手続補正１】
【補正対象書類名】特許請求の範囲
【補正対象項目名】全文
【補正方法】変更
【補正の内容】
【特許請求の範囲】
【請求項１】
バスガーディアン（１１０、１１２）を有する非同期ハブ（１０２、１０４）において、時分割多元接続ネットワーク（１００）におけるタイムスロットへのアクセスを調停する方法であって、
前記非同期ハブの前記バスガーディアンで、同一タイムスロットへのアクセスを請求する競合するノードからの信号を受信するステップ（３０２、３０４、３１０）と、
優先順位方式に基づいて前記ノードのうちの１つを選択するステップ（３０６、３１４、３１６）と、
選択ノードからのメッセージを中継し、非選択ノードからのメッセージをブロックするステップ（３０６、３０８、３１４、３１６）と、
を含む方法。
【請求項２】
前記非同期ハブは、前記選択ノードからの前記信号の受信の前に前記非選択ノードからのメッセージの中継を開始するとき、無音期間を挿入するステップをさらに含む、請求項１に記載の方法。
【請求項３】
バスガーディアン（１１０、１１２）を有する少なくとも１つの非同期ハブ（１０２、１０４）と、
スター構成で前記少なくとも１つのハブに結合された複数のノード（１０６−１、…、１０６−Ｎ）と、
を含み、
前記少なくとも１つのハブおよび前記複数のノードが、タイムトリガドプロトコルを使用して通信し、
前記バスガーディアンは、前記複数のノードのうちで同一のタイムスロットを請求する２つの競合するノードのより高い優先順位のノードにアクセスを許可することによって、前記複数のノードの前記２つのノード間で調停する（３０６、３１６）、
ネットワーク（１００）。
【請求項４】
前記２つのハブのそれぞれの前記バスガーディアンは、異なる相補的な優先順位方式を実装する、請求項３に記載のネットワーク。
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
電力制御システムであって、該システムは、
入力信号を増幅して増幅信号を生成するように構成された利得制御段（１２４）と、
前記利得制御段（１２４）の出力に接続された電力検出器（１０６）であって、前記電力検出器（１０６）は前記増幅信号のランプ（Ａｋ）を検出すると共に該ランプ（Ａｋ）の指示を提供することと、
前記電力検出器（１０６）と前記利得制御段（１２４）に接続された制御器であって、前記制御器は前記ランプ（Ａｋ）の指示に応じた前記利得制御段（１２４）への供給または制御電圧を調節し、前記ランプ（Ａｋ）が必要電力レベルによって変更される所望波形曲線からなる所定ランプ（Ｄｋ）から変動した場合に前記制御器は前記供給または制御電圧を変更することと
を備え、
前記制御器は誤差自乗ユニット（２０４）と、適応フィルタ係数計算ユニット（１２８）と、前記適応フィルタ係数計算ユニット（１２８）に接続された複数タップを有する適応フィルタ（１３０）とを備え、
前記増幅信号のランプ（Ａｋ）は前記所定ランプ（Ｄｋ）と比較されて誤差期間（Ｅｋ）を生じ、
前記適応フィルタ係数計算ユニット（１２８）は前記誤差期間（Ｅｋ）を使用して前記適応フィルタ（１３０）の複数タップの一つまたはそれ以上を計算・調節し、
前記適応フィルタ（１３０）の出力（Ｓｋ）は出力信号を蓄積するループフィルタ（１１８）へ供給される
ことを特徴とする電力制御システム。
【請求項２】
請求項１に記載の電力制御システムであって、前記必要電力レベルは電力対時間マスクからなり、前記所望波形曲線はかさ上げ余弦波形からなることを特徴とする電力制御システム。
【請求項３】
請求項１に記載の電力制御システムであって、前記必要電力レベルは事前定義電力対時間仕様と過渡電力仕様とに従うマスクからなることを特徴とする電力制御システム。
【請求項４】
請求項１に記載の電力制御システムであって、前記電圧は供給電圧と制御電圧のうちの
いずれかであることを特徴とする電力制御システム。
【請求項５】
請求項１に記載の電力制御システムであって、前記所定ランプは電力制御システムの動作条件と無関係であることを特徴とする電力制御システム。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
第１の主表面を含む金属マトリックス複合物品であって、前記第１の主表面が第１のネジ山を含み、前記第１のネジ山が第１の金属マトリックス複合体を含み、前記第１の金属マトリックス複合体が、第１の金属と、前記第１のネジ山と実質的に位置合わせされた第１の複数の実質的に連続的な繊維とを含む金属マトリックス複合物品。
【請求項２】
前記第１の複数の繊維が、金属繊維、セラミック繊維、黒鉛繊維、およびこれらの組み合わせからなる群から選択される繊維を含む、請求項１に記載の金属マトリックス複合物品。
【請求項３】
第１の溝を含む第１の主表面と、前記第１の主表面の少なくとも一部に隣接する第１の複数の実質的に連続的な繊維とを有し、前記実質的に連続的な繊維が少なくとも５センチメートルの長さを有し、かつ前記第１の複数の実質的に連続的な繊維が前記第１の溝と実質的に位置合わせされる可溶性コアを含むモールド部品。
【請求項４】
第１の主表面を含む金属マトリックス複合物品であり、前記第１の主表面が第１のネジ山を含み、前記第１のネジ山が第１の金属マトリックス複合体を含み、前記第１の金属マトリックス複合体が、第１の金属と、前記第１のネジ山と実質的に位置合わせされた第１の複数の実質的に連続的な繊維とを含む金属マトリックス複合物品を製造する方法であって、
第１の溝を含み、かつ第１の複数の実質的に連続的な、少なくとも５センチメートルの長さを有する繊維で包まれ、そして前記第１の複数の繊維が前記第１の溝と実質的に位置合わせされた第１の領域を含む第１の主表面を有する可溶性コアを提供することと、
前記第１の複数の繊維に第１の溶融金属を浸透させることと、
前記第１の金属を凝固させることと、
を含む金属マトリックス複合物品の製造方法。
【手続補正書】
【提出日】平成19年4月25日(2007.4.25)
【手続補正１】
【補正対象書類名】特許請求の範囲
【補正対象項目名】請求項１
【補正方法】変更
【補正の内容】
【請求項１】
ポリビニルアルコール、アクリレート系バリアラテックスおよびそれらの混合物からなる群から選択されたバリア性化学物質を含むバリア層の１乃至５層を有する、カオリンまたは炭酸塩を含む顔料ペーストを用いてコーティングされたセルロース繊維系顔料コート紙を含むことを特徴とするコートベース紙。
【手続補正２】
【補正対象書類名】特許請求の範囲
【補正対象項目名】請求項６
【補正方法】変更
【補正の内容】
【請求項６】
ポリビニルアルコール、アクリレート系バリアラテックスおよびそれらの混合物からなる群から選択されたバリア性化学物質を水溶液として含むバリア層の１乃至５層を、ウェブに接触しない方法を用いて、カオリンまたは炭酸塩を含む顔料ペーストを用いてコーティングされたセルロース繊維系顔料コート紙上に塗布することを特徴とするコートベース紙の製造方法。
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
平坦なワークピースの湿式化学処理又は電解処理のための処理ユニットであって、搬送経路上にユニットでワークピースを輸送するための搬送部材を備えて成る処理ユニットにおいて、
処理ユニットは、さらに、
ａ）凹部（２１）を備えた担体要素（４、５）であって、搬送経路に平行に向けられる担体要素と、
ｂ）搬送部材（６、６’、６’’、７）を担持するか又は固定するための少なくとも一つのモジュールシステムであって、前記モージュールシステムは、挿入要素（１３、１４、２６）を備えて成り、前記挿入要素（１３、１４、２６）は、それらが担体要素（４、５）の凹部（２１）にはまるように構成されるモジュールシステムと、
を備えて成ることを特徴とし、且つ、
挿入要素（１３、１４、２６）が、搬送経路の片側に配置される搬送部材のグループ、処理機器、及び、処理機器のグループ、を備えて成るグループから選ばれた少なくとも一つのアイテムを担持し又は固定することが可能なように構成されることを特徴とする処理ユニット。
【請求項２】
挿入要素（１３、１４、２６）は、ねじ、偏心クランプ又はロッカ・レバーによって担体要素に固定されることを特徴とする請求項１に記載の処理ユニット。
【請求項３】
搬送部材（６、６’、６”、７）は、搬送経路の両側で担持され、前記搬送部材（６、６’、６”、７）が、搬送経路に対して横断方向又は実質的に横断方向に延在することを特徴とする請求項１〜２のいずれか一項に記載の処理ユニット。
【請求項４】
搬送部材（６、６’、６”、７）は、搬送ロール、及び／又は、搬送車又は搬送ボール、及び／又は、らせん形状搬送部材であり、搬送車又は搬送ボールは、軸に取付けられることを特徴とする請求項１〜３のいずれか一項に記載の処理ユニット。
【請求項５】
異なった軸を有するこれら搬送車又は搬送ボールは、互いに対してオフセットされ、且つ、軸が互いに非常に近くに配置されるので、搬送車又は搬送ボールは、軸方向で見て、重なることを特徴とする請求項４に記載の処理ユニット。
【請求項６】
搬送経路は、実質的に水平面に延在することを特徴とする請求項１〜５のいずれか一項に記載の処理ユニット。
【請求項７】
処理ユニットは、湿式化学処理又は電解処理のための処理機器（１６、１７）を備えて成り、前記処理機器は、挿入要素（２６）によって保持されることを特徴とする請求項１〜６のいずれか一項に記載の処理ユニット。
【請求項８】
処理機器（１６、１７）は、フローノズル、噴射ノズル、ファンノズル、超音波振動子及び／又は不溶性陽極であることを特徴とする請求項７に記載の処理ユニット。
【請求項９】
挿入要素（２６）は、処理媒体又は電源を処理機器（１６、１７）に供給するためのコネクタを備えて成ることを特徴とする請求項７及び８のいずれか一項に記載の処理ユニット。
【請求項１０】
挿入要素（１３、１４、２６）は、搬送部材（６、６’、６”、７）を担持するための孔（１５）及び／又はスロット（２２）及び／又は長孔を備えて成り、前記スロット及び長孔は、搬送経路に実質的に垂直に延在することを特徴とする請求項１〜９のいずれか一項に記載の処理ユニット。
【請求項１１】
処理ユニットは、さらに、搬送経路の外側で少なくとも一つの担体要素（４、５）に平行になるように向けられ、且つ、搬送部材（６、６’、６”、７）を駆動する駆動シャフト（２５）を備えて成ることを特徴とする請求項１〜１０のいずれか一項に記載の処理ユニット。
【請求項１２】
搬送部材（６、６’、６”、７）の軸は、少なくとも一つの挿入要素（１３、１４、２６）の搬送経路とは逆側を向く側から突出し、且つ、軸は、搬送部材（６、６’、６”、７）へ力を伝達するための歯車を装備することを特徴とする請求項１〜１１のいずれか一項に記載の処理ユニット。
【請求項１３】
歯車は、そらせ車（２７、２７’）及び平歯車（９、２９、２９’）の少なくとも一つであることを特徴とする請求項１２に記載の処理ユニット。
【請求項１４】
搬送部材（６、６’、６”、７）の軸は、そらせ車（２７、２７’）かそれとも平歯車（９、２９、２９’）か、又は、そらせ車（２７、２７’）と平歯車（９、２９、２９’）とからなる組合わせを備えて成ることを特徴とする請求項１３に記載の処理ユニット。
【請求項１５】
そらせ車（２７、２７’、２８）は、かさ歯車、ウォーム歯車及びはすば歯車のいずれかであることを特徴とする請求項１３及び１４のいずれか一項に記載の処理ユニット。
【請求項１６】
駆動シャフト（２５）は、搬送部材（６、６’、６”、７）のそらせ車（２７、２７’）に対応し、且つ、かみ合うそらせ車（２８）を備えて成ることを特徴とする請求項１１〜１５のいずれか一項に記載の処理ユニット。
【請求項１７】
少なくとも一つの挿入要素（１３、１４、２６）の搬送経路とは逆側を向く側に、挿入要素（１３、１４、２６）は、二つの搬送部材（６、６’、６”、７）間に力を伝達するための少なくとも一つの変換平歯車（８、８’）を設けることを特徴とする請求項１〜１６のいずれか一項に記載の処理ユニット。
【請求項１８】
搬送部材（６、６’、６”、７）上の平歯車（９、２９、２９’）と変換平歯車（８、８’）とは、平歯車（９、２９、２９’）の回転方向が変わらないままであるように、互いに対して配置され、且つ、かみ合わされることを特徴とする請求項１３〜１７のいずれか一項に記載の処理ユニット。
【請求項１９】
平歯車（２９、２９’）は、歯車リムに加えて、歯車リムよりも小さな直径のカラーを備えて成り、こうして、互いの近くに搬送部材（６、６’、６”、７）の軸を配置することを可能にし、カラーは、搬送部材（６、６’、６”、７）の軸方向で見て、歯車リムの前方かそれとも後方に形成されることを特徴とする請求項１３〜１８のいずれか一項に記載の処理ユニット。
【請求項２０】
挿入要素（６、６’、６”、７）は、ペアを組んで配置されることを特徴とする請求項１〜１９のいずれか一項に記載の処理ユニット。
【請求項２１】
挿入要素（６、６’、６”、７）は、担体要素（１３、１４、２６）の凹部（２１）へぴったりと滑り込ますことができることを特徴とする請求項１〜２０のいずれか一項に記載の処理ユニット。
【請求項２２】
凹部（２１）が一様なパターンにしたがって担体要素（４、５）に配置されることを特徴とする請求項１〜２１のいずれか一項に記載の処理ユニット。
【請求項２３】
全ての凹部（２１）が、同一の寸法と形状を備えて成るか、又は、異なって構成された凹部のいくつかのグループが、担体要素（４、５）に設けられることを特徴とする請求項１〜２２のいずれか一項に記載の処理ユニット。
【請求項２４】
水平に搬送設備されたラインで、平坦なワークピースを処理するための請求項１〜２３のいずれか一項に記載の処理ユニットを使用する方法。
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
染料を含むインキ組成物であって、
前記染料は式Ｉの構造を含み、
【化１】
2007514812.tif 000001
式中、
Ｒ1は、水素原子、シアノ基、置換または非置換アルキル基、置換または非置換シクロアルキル基、置換または非置換アルケニル基、置換または非置換アラルキル基、アルキルチオ基、アリールチオ基、アシル基、置換アシル基、カルボキシル基、カルバモイル基、あるいは複素環基を示し、
Ｚaは、−Ｎ＝、−ＮＨ−、または−Ｃ（Ｒ8）＝  のいずれかを示し、
ＺbおよびＺcはそれぞれ独立して、−Ｎ＝、または−Ｃ（Ｒ8）＝  のいずれかを示し、
Ｒ8は、水素、置換または非置換アルキル基、置換または非置換アルケニル基、置換または非置換アルキニル基、あるいは複素環基を示し、
Ｒ2は、水素、置換または非置換アルキル基、置換または非置換アリール基、ハロゲン、シアノ基、カルボキシルまたは置換カルボキシル基、アシル基、置換アシル基、カルバモイル基、ニトロ基、アルキルまたはアリールスルホン、スルホン酸、置換または非置換１級または２級アルキルスルホンアミド、置換または非置換アリールスルホンアミド、あるいは複素環基を示し、
Ｒ3は、水素または非金属基であり、
Ｒ4、Ｒ5、およびＲ6は、Ｈまたは非金属基であって、このとき、Ｒ4またはＲ6の少なくとも１つは、染料に水溶性を与えることのできるイオン化可能な基を示し、
Ｒ5は、芳香環上の、Ｒ4またはＲ6によって占められていない他の位置にある、
ことを特徴とするインキ組成物。
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
貯蔵体から大気中へ揮発性液体を放散するための装置であって、大気中への移送が液体を貯蔵体から蒸散表面に移送する多孔性移送部材によって達成され、該蒸散表面が、移送部材と液体移送接続し、移送部材から実質的に横断して伸びているキャピラリーシートであり、さらに該シートの材料が、ショアＤ硬度がおよそ５０〜８０で、厚さが０．７５〜１．２５ｍｍであるプラスチック材料であることを特徴とする、前記装置。
【請求項２】
移送部材およびキャピラリーシートの並びが、
（ｉ）移送部材が、わずかな円錐台形状で、より狭い末端が貯蔵体から最も遠位で、これに円形の開口を有するキャピラリーシートが摺動し、フィットすること；
（ｉｉ）移送部材が適切な位置決め穴を含み、これにキャピラリーシートがフィットし得ること；
からなる群から選択される、請求項１に記載の装置。
【請求項３】
揮発性液体の実質的に円形の多孔性ウィックへの吸収およびそれに沿った移動、次いで、該ウィックから実質的に横断して伸び、該ウィックと液体移送接続している蒸散表面に沿った移動によって、揮発性液体を大気中に放散する方法であって、蒸散表面が、ショアＤ硬度が５０〜８０で、厚さが０．７５〜１．２５ｍｍであるプラスチック材料のキャピラリーシートを含む、前記方法。
【手続補正書】
【提出日】平成19年11月2日(2007.11.2)
【手続補正１】
【補正対象書類名】特許請求の範囲
【補正対象項目名】全文
【補正方法】変更
【補正の内容】
【特許請求の範囲】
【請求項１】
揮発性液体を大気中に散布するように適合された装置であって、該装置が、該液体を含む貯留槽および、液体から大気中に延在する多孔質蒸発部材を含み、該貯留槽が、均圧排出口によってのみ大気に直接開放されており、該排出口が、排出口を、上昇する大気温度に伴って増大する程度に妨害し、随意にこれを完全に閉鎖する閉鎖手段を備えている、前記装置。
【請求項２】
閉鎖手段が、温度応答性移動部材およびこれに取り付けられた閉鎖部材を含む、請求項１に記載の装置。
【請求項３】
温度応答性移動部材が、閉鎖部材が適切な排出口制限方向に移動するように、上昇する温度の下で変形する部材を含む、請求項２に記載の装置。
【請求項４】
温度応答性移動部材が、上昇する温度に伴って、所望の程度の閉鎖をもたらすのに十分な程度に変形する単一の部品である、請求項３に記載の装置。
【請求項５】
揮発性液体を大気中に多孔質蒸発部材から散布し、この一方の端部が、大気との直接の接触から、均圧排出口以外により密閉されている貯留槽中の液体と接触しており、この他方の端部が、散布された液体の量が大気の温度が上昇するに伴って減少するように、大気に対して開放されている方法であって、該方法が、排出口を、温度上昇に伴って増大した程度に妨害することを含む、前記方法。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
流体ラインを介して流体を体腔に導入したり流体を体腔から抜き取る医用灌注及び組織収集システムであって、
流体を入れる内部を備えた容器と、
前記容器と流体連通状態にあるポンプ球と、
前記流体ラインに連結された第１の端部及び前記容器の前記内部と流体連通状態にある第２の端部を備えた管と、
前記容器の前記内部に設けられると共に前記管の前記第２の端部に着脱自在に連結されていて、粒状物を収集する収集用入れ物とを有し、
前記収集用入れ物は、流体及び所定寸法よりも小さな粒状物の通過を可能にする複数個の開口部を備えている、医用灌注及び組織収集システム。
【請求項２】
前記第２の端部は、流体及び所与の寸法の粒状物の通過を可能にする複数個の細孔を備えた有孔部分を有する、請求項１記載の医用灌注及び組織収集システム。
【請求項３】
前記複数個の開口部は、平均開口部寸法を有し、前記複数個の細孔は、平均細孔寸法を有し、前記平均細孔寸法は、前記平均開口部寸法よりも小さい、請求項２記載の医用灌注及び組織収集システム。
【請求項４】
前記管と作動的に関連していて、流体及び粒状物が前記管を通って流れて前記収集用入れ物内に流入することができるようにする一方弁を更に有する、請求項２記載の医用灌注及び組織収集システム。
【請求項５】
前記収集用入れ物は、メッシュ袋である、請求項２記載の医用灌注及び組織収集システム。
【請求項６】
前記容器に着脱自在に結合されたキャップを更に有する、請求項２記載の医用灌注及び組織収集システム。
【請求項７】
前記キャップから延びる第１の端部及び前記ポンプ球に結合された第２の端部を備えるポンプ導管を更に有する、請求項６記載の医用灌注及び組織収集システム。
【請求項８】
前記ポンプ球は、前記ポンプ導管に螺着されている、請求項７記載の医用灌注及び組織収集システム。
【請求項９】
前記ポンプ導管は、前記キャップから下方に延びる、請求項７記載の医用灌注及び組織収集システム。
【請求項１０】
前記収集用入れ物は、硬質ポリマー材料で作られたバスケットである、請求項９記載の医用灌注及び組織収集システム。
【請求項１１】
前記容器は、上方部分及び下方部分を有し、前記キャップは、前記容器の上縁近くの前記上方部分に着脱自在に結合される、請求項７記載の医用灌注及び組織収集システム。
【請求項１２】
前記収集用入れ物は、前記容器の前記下方部分内に設けられ、かつ、底部近くに延びている、請求項１１記載の医用灌注及び組織収集システム。
【請求項１３】
前記容器の前記上方部分及び前記下方部分は、前記ポンプ球を圧縮することにより生じた圧力に起因する乱流が前記容器の下方部分内と比較して前記容器の前記上方部分内の方において高いような寸法形状のものである、請求項１２記載の医用灌注及び組織収集システム。
【請求項１４】
前記収集用入れ物は、硬質ポリマー材料で作られたバスケットであり、
前記バスケットの底部では、前記ポンプ球を圧縮することにより生じた圧力に起因して乱流が実質的に生じることはない、請求項１３記載の医用灌注及び組織収集システム。
【請求項１５】
前記キャップは、キャップ内部を備え、前記ポンプ球を圧縮することにより生じた圧力に起因する乱流は、実質的に前記キャップ内部に制限される、請求項１１記載の医用灌注及び組織収集システム。
【請求項１６】
前記キャップ内部と前記容器の前記上方部分との間に設けられたフローレストリクタを更に有する、請求項１５記載の医用灌注及び組織収集システム。
【請求項１７】
前記フローレストリクタは、前記管から半径方向に延びるレストリクタ板である、請求項１６記載の医用灌注及び組織収集システム。
【請求項１８】
組織及び粒状物を患者の体腔から収集する方法であって、
医用灌注及び組織収集装置を前記体腔と流体連通関係をなして位置決めする段階と、
灌注液を前記医用灌注及び組織収集装置から前記体腔内に注入する段階と、
前記灌注液を前記体腔から前記医用灌注及び組織収集装置内に排出し、前記排出された灌注液が前記体腔からの組織及び粒状物を含むようにする段階と、
前記排出された灌注液を濾過して前記灌注液中の組織及び粒状物を隔離して、前記組織及び粒状物が前記医用灌注及び組織収集システム内に設けられた収集用入れ物内に収集されるようにする段階とを有する、方法。
【請求項１９】
灌注流体を前記医用灌注及び組織収集装置から前記体腔内に注入する前記段階は、正圧を前記医用灌注及び組織収集システム内に生じさせてこれを前記体腔内に作用させる段階を含み、該段階は、前記医用灌注及び組織収集システムの上方部分内に乱流を生じさせる一方で、前記医用灌注及び組織収集システムの下方部分内に実質的に乱流の無い流れを維持する段階を含む、請求項１８記載の方法。
【請求項２０】
前記排出された灌注液を濾過して前記灌注液中の組織及び粒状物を隔離する前記段階は、組織及び粒状物を前記医用灌注及び組織収集装置の前記下方部分内に収集する段階を含む、請求項１８記載の方法。
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
少なくとも頂部表面、底部表面、および第一末端を有する第一層、
第一層の底部表面に実質的に隣接する頂部表面を有する第二層、
計器との電気的接続に適合し、第一層の第一末端に隣接する第一接点、
第一層および第二層が第一層の頂部表面を通る開口部を有する空洞を定義し、該開口部が、第一層の第一末端からから離間されており、および
空洞の少なくとも２０％を満たす試薬を包含するインビボで使用するための電気化学的バイオセンサーであって、該試薬が、電気的導電性マトリックスおよび酵素を包含し、
該マトリックスが、第一接点と電気的に接続している電気化学的バイオセンサー。
【請求項２】
開口部が、面積Ａを有し、および
試薬を横断しない開口部に平行に取られた空洞の各断面が、少なくともＡの面積を有する請求項１記載の電気化学的バイオセンサー。
【請求項３】
空洞の体積対開口部の面積の比が、頂部表面と底部表面とのあいだの少なくともおよその距離である請求項１記載の電気化学的バイオセンサー。
【請求項４】
請求項１による電気化学的センサーストリップ、および
センサー電極に電気信号を印加し、電気応答を測定するように適合された計器を包含する電気化学的バイオセンサーシステム。
【請求項５】
頂部表面と底部表面、
接点末端と検出末端、
接点末端のまたはその近くの第一接点および第二接点、
検出末端のまたはその近くの第一電極位置を有する第一層、
該第一電極位置の近くの第二電極位置、
第一電極位置の第一層内および第一電極位置の第一層によって定義された空洞であって、該空洞が頂部表面を通る開口部を有し、
空洞および第一接点を電気的に接続する第一導電体、および
第二電極位置と第二接点を電気的に接続する第二導電体を含む第一層上の少なくとも２つの導電体、
空洞の体積の少なくとも約２０％を満たす導電性マトリックスであって、該マトリックスが試薬を包含し、および
第二電極位置に対照電極を包含する分析物の濃度または存在を試験するためのストリップ。
【請求項６】
空洞が、開口部を除いて、分析物によって非透過性である１つまたは複数の材料により実質的に囲まれている請求項５記載のストリップ。
【請求項７】
１つまたは複数の材料の少なくとも１つが、酸素透過性である請求項６記載のストリップ。
【請求項８】
基板、
参照電極、および
基板によって少なくとも部分的に定義される空洞を実質的に満たす作用電極を包含する電気化学的センサーであって、該作用電極が多孔性導電性マトリックスおよび酵素を包含し、
該参照電極が、液体試料を通して作用電極に電気的に接続可能である
電気化学的センサー。
【請求項９】
導電性マトリックスが、炭素粒子を包含する請求項８記載の電気化学的センサー。
【請求項１０】
作用電極が、さらに触媒を包含する請求項８記載の電気化学的センサー。
【請求項１１】
触媒が、二酸化マンガンを包含する請求項１０記載の電気化学的センサー。
【請求項１２】
作用電極が、さらに結合剤を包含する請求項８記載の電気化学的センサー。
【請求項１３】
作用電極の第一表面が開放されており、これによって、試料が分析物の拡散を制限する層を通過することなく、電極に入ることができる請求項８記載の電気化学的センサー。
【請求項１４】
生物学上の流体中の分析物に応答する活性領域を有するバイオセンサー、および
活性領域上に配置された中間面の膜を含むインビボで使用するためのバイオセンサー・システムであって、これによって分析物が、膜の少なくとも一部を通過して測定のためのバイオセンサーに達し、
該膜が活性領域から離間され、および
膜の一部が、活性領域の少なくとも２倍の表面領域を有する
バイオセンサー・システムであって、
膜の一部が、活性領域の膜の少なくとも１００倍の表面積を有するバイオセンサー・システム。
【請求項１５】
膜が、活性領域に接触しない請求項１４記載のバイオセンサー・システム。
【請求項１６】
生物学上の流体中の分析物に応答する活性領域を有するバイオセンサー、および
活性領域上に配置された中間面の膜を含むインビボで使用するためのバイオセンサー・システムであって、これによって分析物が、膜の少なくとも一部を通って、流動体の外部体積から、バイオセンサーおよび膜によって定義された内部体積に入り、
内部体積のサイズが、少なくとも約ｓ3/2／１０であり、ｓが、センサーの活性領域の領域であり、および
内部体積が、バイオセンサーの活性領域と接触しているバイオセンサー・システム。
【請求項１７】
内部体積のサイズが、少なくとも約ｓ3/2である請求項１６記載のバイオセンサー・システム。
【請求項１８】
生物学上の流動体中で分析物に応答する活性領域を有するバイオセンサー、および
活性領域上に配置された中間面の膜を含むインビボで使用するためのバイオセンサー・システムであって、これによって分析物が、膜の少なくとも一部を通って、流動体の外部体積から、バイオセンサーおよび膜によって定義された内部体積に入り、
中間面の膜が、それの最接近点で活性領域から約１０μｍと約１００μｍのあいだ離間されたバイオセンサー・システム。
【請求項１９】
分析物に敏感であるセンサー活性表面、および
活性表面の少なくとも一部を封入する膜を有する皮下空間に移植され得るセンサーヘッドを包含する
分析物の濃度または存在をインビボで試験するための皮下センサーであって、
該膜が、センサーが皮下組織に移植される際、活性表面から離間され、活性表面と膜とのあいだに内部体積を供する皮下センサー。
【請求項２０】
膜が、センサーヘッドに加熱封印される請求項１９記載の皮下センサー。
【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
ａ）一つ以上の細胞を固体表面から有効な距離内の実質的に静止した位置に維持し、及び
ｂ）前記固体表面に、上記一つ以上の特定の３次元的な位置は前もって認識することなく、該一つ以上の細胞の膜の透過化を誘導するに十分な電磁放射線を指向させ、ここで前記一つ以上の細胞を前記電磁放射線の経路に一致させることを備える
ことを特徴とする一つ以上の細胞を一時的に透過性にする方法。
【請求項２】
前記電磁放射線が前記固体表面で多くても約０．００１、０．００２、０．００３、０．００６、０．０１、０．０２、０．０３、０．０６、０．１、０．２、０．３、０．６、１、２、３、４、５、及び６μＪ／μｍ２からなる群より選択されるエネルギー密度を有する請求項１記載の方法。
【請求項３】
前記有効な距離が約１μｍから約２０μｍである請求項１記載の方法。
【請求項４】
前記一つ以上の細胞に前記電磁放射線を約１００ピコ秒から約１０秒の期間照射する請求項１記載の方法。
【請求項５】
前記方向付けが、固体表面に放射線のパルスを供給することを備える請求項１記載の方法。
【請求項６】
前記一つ以上の細胞の膜の一時的透過化を、約３００から約１０，０００，０００細胞／秒の割合で誘導することを更に備える請求項１記載の方法。
【請求項７】
前記一時的透過化後の前記一つ以上の細胞の生存確率を、少なくとも５０％から少なくとも９０％の値で維持する請求項１記載の方法。
【請求項８】
前記一つ以上の細胞を非等張水性媒体と接触させることを更に備える請求項１記載の方法。
【請求項９】
前記一つ以上の細胞が水性媒体と、該水性媒体内の物質が一時的透過膜を介して前記一つ以上の細胞を取り込み得るように接触する請求項１記載の方法。
【請求項１０】
前記物質がイオン、有機分子、無機分子、コロイド粒子、多糖類、ペプチド、タンパク質、核酸及び変性核酸からなる群より選択される請求項９記載の方法。
【請求項１１】
前記電磁放射線を前記固体表面の領域に約０．０００３から約１０ｃｍ２／秒の割合で指向させる請求項１記載の方法。
【請求項１２】
前記方向付けが、２つ以上の電磁放射線のパルスを前記固体表面にパルスの目的パターンに従って供給することを備える請求項１記載の方法。
【請求項１３】
前記電磁放射線パルスの個々のパルスが、多くても約１０００秒、１００秒、１０秒、１秒、１００ミリ秒、１０ミリ秒、１ミリ秒、１００マイクロ秒、１０マイクロ秒、１  マイクロ秒、１００ナノ秒、１０ナノ秒、１ナノ秒、１００ピコ秒、１０ピコ秒、１ピコ秒、１００フェムト秒、１０フェムト秒、１フェムト秒、１００アット秒、  １０アット秒、及び１アット秒からなる群より選択される持続時間を有する請求項１２記載の方法。
【請求項１４】
前記電磁放射線の少なくとも２つのパルスを前記パルスの目的パターン内の単一のパルスの目的物に指向させる請求項１２記載の方法。
【請求項１５】
前記電磁放射線を前記固体表面上の所定領域に指向させ、該所定領域が約０．０００１から約１０ｃｍ２の領域を有する請求項１記載の方法。
【請求項１６】
前記電磁放射線の経路が約１０から約１０００μｍの幅を有する請求項１記載の方法。
【請求項１７】
細胞を一時的に透過性にするための装置で、
ａ）細胞膜の一時的透過化を誘導するに十分な電磁放射線を放射するエネルギー源で、ここで前記細胞が実質的に静止して所定容量内に含まれ、該所定容量内での細胞の特定の座標が未知であり、前記所定容量を固体表面によって部分的に境界付けし、
ｂ）前記所定容量のほぼ全体に電磁放射線を指向させるように構成した方向付け装置、ここで前記細胞を前記電磁放射線の経路と一致させ、該所定容量内の電磁放射線が前記の固体表面で多くとも約６μＪ／μｍ２のエネルギー密度を有し、及び
ｃ）前記固体表面
を備える装置。
【請求項１８】
前記所定容量内の電磁放射線が固体表面上で、約０．００１から約０．３μＪ／μｍ２のエネルギー密度を有する請求項１７記載の装置。
【請求項１９】
前記方向付け装置が、電磁放射線のパルスを前記所定容量にパルスの目的パターンに従って指向させる請求項１７記載の装置。
【請求項２０】
前記電磁放射線パルスの個々のパルスが約１０秒から約１００ピコ秒の持続時間を有する請求項１８記載の装置。
【請求項２１】
前記電磁放射線の経路が約１０から約１０００μｍの幅を有する請求項１７記載の装置。
【請求項２２】
一連の指令を備える記憶システムで、該指令を実行すると、コンピュータが実質的に静止した細胞の膜の透過化を誘導するに十分な電磁放射線を該細胞の特定の３次元的な位置を前もって認識することなく固体表面に指向させることを備える動作を実行し、ここで前記細胞を前記電磁放射線の経路に一致させる記憶システム。